(57)【要約】【課題】循環系疾患等への磁気治療効果を大幅に向上させることができる磁気治療具を提供する。【解決手段】磁気治療具を、弾性的に拡開可能な装着バンド１と、この装着バンド１に所定間隔をもって取り付けられた複数の発磁部２から構成する。発磁部２の内部には、対称位置にある磁石２ａ及び２ｂ同士の同磁極を対向させた状態で張り合わせて一組にして構成する。すなわち、一方の磁石２ａの対向面がＮ極の場合には、他方の磁石２ｂの対向面をＮ極、一方の磁石２ａの対向面がＳ極の場合には、他方の磁石２ｂの対向面をＳ極とし、極性が同じ永久磁石を互いに反発した状態で張合わせる。【選択図】図１
0003191469.tif 000002
【実用新案登録請求の範囲】
【請求項１】
弾性的に拡開可能な装着バンドに、人体の循環系の経路に対応させると共に、互いに反発する同極同士を張り合わせた状態を一組とする磁石からなる複数の発磁部を所定間隔をもって配置したことを特徴とする磁気治療具。
【請求項２】
人体の循環系の経路が甲状軟骨近傍に位置する頸動脈であることを特徴とする請求項１記載の磁気治療具。
【請求項３】
人体の循環系の経路が動脈流管であることを特徴とする請求項１記載の磁気治療具。
【考案の詳細な説明】
【技術分野】
【０００１】  本考案は、磁気を利用した健康器具に関し、とくに人体の循環系経路の血行を促進し、健康増進に資する磁気治療具に関するものである。
【背景技術】
【０００２】  従来、磁性体（永久磁石）の磁力線を利用して血行を促進し、細胞を賦活させ、肩こり、筋肉痛、筋肉疲労等を解消し、健康を増進するための磁気治療具が種々提案されている。例えば、円盤状あるいは粒状の永久磁石を粘着パッドや絆創膏等を使用して肩や腰、手足の患部に貼り付けるタイプのものや磁性体をチェーン状に加工したネックレスタイプのものがある。【０００３】  脊椎動物の循環系は血管系とリンパ系から成り、血管系には心臓から送られる血液が循環し、リンパ系には各部の器官からリンパ液が循環するが、高等動物であるヒトの場合には、特に血行の良し悪しが体調に密接にかかわり、血行が悪くなると、肩こり、のぼせ、疲労感などをともなうことが知られている。そして、それがある程度高じると日常の生活にも支障をきたすことになる。【０００４】  このような血行障害が原因とされる各種の症状に対しては、種々の治療方法が試みられているが、その一つとして磁気作用による治療方法の研究が成されており、その効果が次第に解明されつつある。【０００５】  従来、磁気作用による治療手段としては、小粒状の永久磁石を粘着テープにより体表面に貼着するものが知られ、かつ一般にも使用されている（公序良俗違反につき、不掲載）。【０００６】  例えば、シート状のものとしては、複数の永久磁石を、隣り合う磁石の磁極が互いに異極となるようにして所定間隔置きに配置し、それらの表裏を一連のシリコンシートでコーティングして成るマルチマグネットが提案されている（特許文献１参照。）。また、身体に巻き掛けられるバンドに、永久磁石を収容した複数の磁石ケースをスライド自在に取り付けた磁気治療具（特許文献２参照。）。ネックレス状のものとしは、樹脂と着磁された複数の粒状の磁石と可撓性を有する長尺な磁性部からなり、複数の磁石を樹脂で覆われた状態で互いに離間した位置に配置した磁気治療具（特許文献３参照。）等が提案されている。
【先行技術文献】
【特許文献】
【０００７】
【特許文献１】特開２００１−３４６８９０号公報
【特許文献２】特開２００４−１４７８５９号公報
【特許文献３】特許第５１９２７４０号公報
【考案の概要】
【考案が解決しようとする課題】
【０００８】  上記する円板状の磁性体の場合、粘着パッドや絆創膏等を使用して患部に装着するものであるため、皮膚が弱い人の場合にはかぶれを生じて使用できないものであった。また、単体で使用するので、患部に正確に貼り付けることができず、患部を含む周辺部に多数貼り付けるため、経済的な負担が大きいものであった。ところで、従来の上記磁気治療手段のように、小粒の永久磁石を粘着テープで体表面に貼着するものにあっては、磁石を単独で使用しているので、磁石の体表面側の磁極と外側の磁極間に生じる磁場が血管系に磁気作用を及ぼすだけであって、血管系に対する磁場の範囲が狭く、磁気治療効果が甚だ狭小であるばかりでなく、条件次第では、血管中を流れる血液を血管壁に引き寄せるように磁気による吸引作用をして、かえって血行を妨げる場合のあることが指摘されている。【０００９】  本考案は、従来の磁気治療手段における欠点や問題点に鑑み、複数の磁極間に生じる磁場の磁気作用を循環系の経路に及ぼすとともにその磁束線の放射距離を伸長して、循環系の磁気治療効果を大幅に向上させ、もって、磁気治療効果を一層向上せしめることができる磁気治療具を提供することを目的とするものである。
【課題を解決するための手段】
【００１０】  上記目的を達成するための本考案に係る磁気治療具は、弾性的に拡開可能な装着バンドに、人体の循環系の経路に対応させると共に、互いに反発する同極同士を張り合わせた状態を一組とする磁石からなる複数の発磁部を所定間隔をもって配置したことを第１の特徴とする。また、人体の循環系の経路が甲状軟骨近傍に位置する頸動脈であることを第２の特徴とする。さらに、人体の循環系の経路が動脈流管であることを第３の特徴とする。【００１１】  本考案で使用する磁性体は、好ましくは２００ミリテスラ（ｍＴ）程度のサマリウム・コバルト磁石又はネオジウム磁石とする。【００１２】  血液成分中には、プラスイオンとマイナスイオンに電離するものが含まれている。これが、血管中を流れるということは、電流が流れるのに等しい。ここに磁石によって磁場を加えると、「フレミングの左手の法則」によりローレンツ力が発生する。この力がイオンの流れを活発にし、血行を促進して肩凝りなどの症状をやわらげると考えられる。【００１３】  細胞液は細胞膜を挟んで、細胞外液と細胞内液に分けられる。細胞膜はリン脂質の二重層とタンパク質からなる生体膜で、内外の細胞液の電解質濃度の差が一定に保たれることにより、イオン化した溶質の輸送が行われている。この電解質濃度の変化は体液の表面張力や粘性、電気抵抗などの物理化学的な差となって現れ、人体の生理作用にも微妙な影響を与える。すなわち、血液は生命活動に必要な様々なイオンを含む電解質溶液の流れであり、それは微弱な電流とみなすことができる。
【考案の効果】
【００１４】  本考案の磁気治療具は、極性が同じ複数の永久磁石を互いに反発した状態で張合わせることで磁力線の放射距離が延びる。このため、人体内部の頸動脈や大動脈等の循環系の経路に効果的に磁力線が浸透到達し、血管内を流れる血液、リンパ系を流れるリンパ液に対して磁気作用を及ぼすことにより、血液等のイオン化を促進するとともに血液等の流れを良くし、磁気治療効果を一層向上せしめる。
【図面の簡単な説明】
【００１５】
【図１】本考案に係る磁気治療具を頸部に装着した状態を示す斜視図である。
【図２】本考案に係る磁気治療具において放射する磁力線のイメージを示す平面図である。
【図３】本考案に係る磁気治療具の他の実施例を模式的に示す平面図である。
【考案を実施するための形態】
【実施例】
【００１６】  図１乃至図３に示すように、本考案に係る磁気治療具は、人体の頸部３等に巻き掛けられる弾性的に拡開可能な装着バンド１と、この装着バンド１に所定間隔をもって取り付けられた複数の発磁部２と、これら全体を一体に被覆する被膜１ａから構成されている。【００１７】  図２に示すように、発磁部２の内部には、前記複数個の永久磁石２ａが装着バンド１の周方向に沿って所定間隔に配置されると共に、相対向して永久磁石２ｂが配置されている。すなわち、発磁部２は、２個の永久磁石２ａ及び２ｂを一組として片面がＳ極を、他面がＮ極を示すネオジウム磁石からなる。【００１８】  ここで、各発磁部２は、対称位置にある磁石２ａ及び２ｂ同士の同磁極を対向させた状態で張り合わせて一組にして構成される。すなわち、一方の磁石２ａの対向面がＮ極の場合には、他方の磁石２ｂの対向面をＮ極とする。一方の磁石２ａの対向面がＳ極の場合には、他方の磁石２ｂの対向面をＳ極とする。このように、極性が同じ永久磁石を互いに反発した状態で張り合わせることで磁力線の放射距離が延び磁束線を人体内部まで深く浸透させることができることが本考案者の研究の結果分かった。【００１９】  例えば、図１に示すように、磁気治療具１は、使用者の頸部３に巻き掛けた状態で、装着バンド１の両端を拡開させて嵌め込むことにより、当該頸部３に装着される。そして、この状態で各発磁部２が人体の循環系の経路Ｐに対応する位置に所定間隔をおいて配置される。頚部３であれば甲状軟骨近傍に位置する頸動脈であり、腰部４や胸部５であれば大動脈流管である。【００２０】  被膜１ａとしては、合成樹脂やシリコンゴムを使用することが好ましい。また、磁石２ａ及び２ｂとしてはフェライト磁石等を使用することができるが、本考案においては、残留磁束密度、保磁力、最大エネルギー積等に優れたサマリウム・コバルト磁石又はネオジウム磁石（磁束密度が１５０〜２００ミリテスラ（ｍＴ））のものを使用している。【００２１】  図３に示すように、装着バンド１は、各種大きさのリング径を有するものを用意して、頚、手首や上腕部、胸部、足首や大腿部等に嵌めることにより、患部の周りから磁力線が作用し、血行を促進することになる。更に、大きな環状のものとして腰や胴周りに巻き回してもよい。
【符号の説明】
【００２２】１  装着バンド
１ａ被膜
２  発磁部
２ａ永久磁石
２ｂ永久磁石
３  頸部
４  腰部
５  肩部
６  磁力線
Ｐ  循環系の経路
【図１】
0003191469.tif 000003
【図２】
0003191469.tif 000004
【図３】
0003191469.tif 000005
【手続補正書】
【提出日】平成26年4月3日(2014.4.3)
【手続補正１】
【補正対象書類名】明細書
【補正対象項目名】０００５
【補正方法】変更
【補正の内容】
【０００５】  従来、磁気作用による治療手段としては、小粒状の永久磁石を粘着テープにより体表面に粘着するものが知られ、かつ一般にも使用されている。
【手続補正書】
【提出日】平成26年4月3日(2014.4.3)
【手続補正１】
【補正対象書類名】明細書
【補正対象項目名】０００６
【補正方法】変更
【補正の内容】
【０００６】  例えば、シート状のものとしては、複数の永久磁石を、隣り合う磁石の磁極が互いに異極となるようにして所定間隔置きに配置し、それらの表裏を一連のシリコンシートでコーティングして成るマルチマグネットが提案されている（特許文献１参照。）。また、身体に巻き掛けられるバンドに、永久磁石を収容した複数の磁石ケースをスライド自在に取り付けた磁気治療具（特許文献２参照。）。ネックレス状のものとしては、樹脂と着磁された複数の粒状の磁石と可撓性を有する長尺な磁性部からなり、複数の磁石を樹脂で覆われた状態で互いに離間した位置に配置した磁気治療具（特許文献３参照。）等が提案されている。